(57)【要約】【課題】長寿命で、クリック音が小さく、移動のスムーズなクリック感触付電気部品を提供する。【解決手段】本発明のクリック感触付電気部品において、クリック部材３は、金属板からなる摺動板部５と、この摺動板部５を保持する支持板部４からなり、摺動板部５は、係脱部材９の先端部が摺動する摺動部５ａと、係脱部材９の摺動軌跡Ｓ上に位置した状態で、摺動部５ａの両端部に設けられた一対の屈曲部５ｂとを有し、複数個の摺動板部５は、隣り合う摺動板部５の屈曲部５ｂ同士を対向させた状態で、所定の間隔をおいて支持板部４の一面側で保持され、係脱部材９が屈曲部４ｂ間で形成される凹部に嵌入するようにしたため、係脱部材９は、屈曲部４ｂで引っ掛かりが無く、長寿命のものが得られると共に、移動のスムーズなものが得られる。【選択図】        図２
2004207512.tif 000002
【特許請求の範囲】
【請求項１】
凹凸状のクリック部を有するクリック部材と、前記クリック部に対して係脱を行う係脱部材とを備え、前記クリック部材は、金属板からなる摺動板部と、この摺動板部を保持する支持板部からなり、前記摺動板部は、前記係脱部材の先端部が摺動する摺動部と、前記係脱部材の摺動軌跡上に位置した状態で、前記摺動部の両端部に設けられた一対の屈曲部とを有し、複数個の前記摺動板部は、隣り合う前記摺動板部の前記屈曲部同士を対向させた状態で、所定の間隔をおいて配置されると共に、複数個の前記摺動板部が前記支持板部の一面側で保持されて、前記クリック部が形成され、前記係脱部材が前記摺動部上を摺動すると共に、隣り合う前記摺動板部の前記屈曲部間で形成される凹部に嵌入するようにしたことを特徴とするクリック感触付電気部品。
【請求項２】
前記支持板部は、合成樹脂の成型品からなり、複数個の前記摺動板部が前記支持板部に埋設されて取り付けられたことを特徴とする請求項１記載のクリック感触付電気部品。
【請求項３】
前記摺動板部の前記摺動部と前記屈曲部の内面が前記支持板部で支持されたことを特徴とする請求項２記載のクリック感触付電気部品。
【請求項４】
前記屈曲部の先端部が前記支持板部に埋設されたことを特徴とする請求項３記載のクリック感触付電気部品。
【請求項５】
前記屈曲部は、前記摺動部に対して傾斜して形成されたことを特徴とする請求項３、又は４記載のクリック感触付電気部品。
【請求項６】
前記摺動部の表面が凸状の曲面で形成されたことを特徴とする請求項２から５の何れかに記載のクリック感触付電気部品。
【請求項７】
複数個の前記摺動板部は、互いに連結部で繋がれた１枚の金属板で形成されたことを特徴とする請求項１から６の何れかに記載のクリック感触付電気部品。
【請求項８】
前記連結部は、一対の前記屈曲部間に位置する前記摺動部の一端側、或いは両端側に設けられて、複数個の前記摺動板部が互いに連結されたことを特徴とする請求項７記載のクリック感触付電気部品。
【請求項９】
前記係脱部材は、凸部を設けた板バネで構成され、前記凸部が前記クリック部に係脱するようにしたことを特徴とする請求項１から８の何れかに記載のクリック感触付電気部品。
【発明の詳細な説明】
【０００１】
【発明の属する技術分野】
本発明はスライド型や回転型のスイッチ、或いは可変抵抗器等に適用して好適なクリック感触付電気部品に関する。
【０００２】
【従来の技術】
従来のクリック感触付電気部品の図面を説明すると、図１６は従来のクリック感触付電気部品の要部断面図、図１７は従来のクリック感触付電気部品の分解斜視図、図１８は従来のクリック感触付電気部品に係るコード板の平面図である。
【０００３】
次に、従来のクリック感触付電気部品の構成を図１６〜図１８に基づいて説明すると、軸受け体５１の中心部には、操作軸５２が回転可能に取り付けられると共に、コード板５３が操作軸５２と共回りするように配置されている。
【０００４】
このコード板５３は、金属板からなり、円形状に配置された複数個の接点部５４と、金属板からなり、接点部５４の外側で円形状に配置された複数個の櫛歯部５５と、接点部５４と櫛歯部５５を保持する絶縁材の支持部５６とで構成されている。
【０００５】
そして、櫛歯部５５は、金属板を打ち抜きすることによって形成され、櫛歯部５５間に設けられた切り欠き部５５ａによって凹部が形成されて、この切り欠き部５５ａと櫛歯部５５とでクリック部Ｋが構成されている。
【０００６】
合成樹脂の成型品からなる基台５７には、接点部５４上を摺動する摺動子片５８と、クリック部Ｋに対して係脱を行うクリックばね５９とが埋設されて取り付けられている。
【０００７】
そして、この基台５７は、軸受け体５１の後面に載置された状態で、取付板６０によって軸受け体５１に取り付けられ、操作軸５２を回転すると、コード板５３が回転し、その結果、クリックばね５９がクリック部Ｋに係脱して、操作軸５２の回転にクリック感触を持たせると共に、摺動子片５８が接点部５４に接離して、接点の切換を行うようになっている。（例えば、特許文献１参照）
【０００８】
【特許文献１】
特許第３０３７８０６号公報
【０００９】
【発明が解決しようとする課題】
従来のクリック感触付電気部品は、クリックばね５９がクリック部Ｋである切り欠き部５５ａと櫛歯部５５に係脱を行うため、クリックばね５９が櫛歯部５５の切り欠き部５５ａに位置するエッジ部に引っ掛かり、クリックばね５９の摩耗が著しく、大きなクリック動作であり、長寿命のものが得られないという問題がある。
また、クリックばね５９がエッジ部に引っ掛かると、スムーズな移動ができないばかりか、櫛歯部５５は先端部が自由端となっているため、クリックばね５９の係脱時、櫛歯部５５が押されて弾性変形するので、所望のクリック力が得られないという問題がある。
また、クリック動作時、大きな音を発生するという問題がある。
【００１０】
そこで、本発明は長寿命で、クリック音が小さく、移動のスムーズなクリック感触付電気部品を提供することを目的とする。
【００１１】
【課題を解決するための手段】
上記課題を解決するための第１の解決手段として、凹凸状のクリック部を有するクリック部材と、前記クリック部に対して係脱を行う係脱部材とを備え、前記クリック部材は、金属板からなる摺動板部と、この摺動板部を保持する支持板部からなり、前記摺動板部は、前記係脱部材の先端部が摺動する摺動部と、前記係脱部材の摺動軌跡上に位置した状態で、前記摺動部の両端部に設けられた一対の屈曲部とを有し、複数個の前記摺動板部は、隣り合う前記摺動板部の前記屈曲部同士を対向させた状態で、所定の間隔をおいて配置されると共に、複数個の前記摺動板部が前記支持板部の一面側で保持されて、前記クリック部が形成され、前記係脱部材が前記摺動部上を摺動すると共に、隣り合う前記摺動板部の前記屈曲部間で形成される凹部に嵌入するようにした構成とした。
【００１２】
また、第２の解決手段として、前記支持板部は、合成樹脂の成型品からなり、複数個の前記摺動板部が前記支持板部に埋設されて取り付けられた構成とした。また、第３の解決手段として、前記摺動板部の前記摺動部と前記屈曲部の内面が前記支持板部で支持された構成とした。
【００１３】
また、第４の解決手段として、前記屈曲部の先端部が前記支持板部に埋設された構成とした。
また、第５の解決手段として、前記屈曲部は、前記摺動部に対して傾斜して形成された構成とした。
また、第６の解決手段として、前記摺動部の表面が凸状の曲面で形成された構成とした。
【００１４】
また、第７の解決手段として、複数個の前記摺動板部は、互いに連結部で繋がれた１枚の金属板で形成された構成とした。
また、第８の解決手段として、前記連結部は、一対の前記屈曲部間に位置する前記摺動部の一端側、或いは両端側に設けられて、複数個の前記摺動板部が互いに連結された構成とした。
【００１５】
また、第９の解決手段として、前記係脱部材は、凸部を設けた板バネで構成され、前記凸部が前記クリック部に係脱するようにした構成とした。
【００１６】
【発明の実施の形態】
本発明のクリック感触付電気部品の図面を説明すると、図１は本発明のクリック感触付電気部品の第１実施例に係る要部断面図、図２は本発明のクリック感触付電気部品の第１実施例に係り、クリック部と係脱部材の関係を示す要部拡大断面図である。
【００１７】
また、図３は本発明のクリック感触付電気部品の第１実施例に係るクリック部材の平面図、図４は本発明のクリック感触付電気部品の第１実施例に係るクリック部材の下面図、図５は図３の５−５線における断面図、図６は本発明のクリック感触付電気部品の第１実施例に係るクリック部材の要部拡大断面図である。
【００１８】
また、図７は本発明のクリック感触付電気部品の第１実施例に係り、クリック部材の製造方法の第１工程を示す平面図、図８は本発明のクリック感触付電気部品の第１実施例に係り、クリック部材の製造方法の第１工程を示す下面図、図９は本発明のクリック感触付電気部品の第１実施例に係り、クリック部材の製造方法の第１工程を示す要部拡大断面である。
【００１９】
また、図１０は本発明のクリック感触付電気部品の第１実施例に係り、クリック部材の製造方法の第２工程を示す平面図、図１１は本発明のクリック感触付電気部品の第１実施例に係り、クリック部材の製造方法の第２工程を示す下面図、図１２は図１０の１２−１２線における断面図、図１３は本発明のクリック感触付電気部品の第１実施例に係り、クリック部材の製造方法の第２工程を示す要部拡大断面である。
【００２０】
また、図１４は本発明のクリック感触付電気部品の第２実施例に係るクリック部材の要部拡大断面図、図１５は本発明のクリック感触付電気部品の第３実施例に係るクリック部材の要部拡大断面図である。
【００２１】
次に、本発明のクリック感触付電気部品の第１実施例の構成について、回転型可変抵抗器に適用した場合を例にして、図１〜図６に基づいて説明すると、合成樹脂の成型品からなる箱形のケース１は、中央部に孔１ａを有する底壁１ｂと、底壁１ｂの外周部から直角方向に延びる筒状の側壁１ｃと、底壁１ｂと側壁１ｃとで囲まれた凹部からなる収納部１ｄを有する。
【００２２】
バネ性ある金属板からなる複数の接触片２は、ケース１に埋設して取り付けられ、収納部１ｄ内に突出する接触部２ａと、ケース１外に突出する端子２ｂを有している。
そして、ここでは図示しないが、ケース１の底壁１ｂがプリント基板上に載置された状態で、端子２がプリント基板に設けられた導電パターンに半田付けされるようになっている。
【００２３】
略円板状のクリック部材３は、特に図３〜図６に示すように、合成樹脂の成型品からなる支持板部４と、この支持板部４に保持された複数個の摺動板部５で構成されている。
【００２４】
そして、支持板部４は、円板状の板状部４ａと、板状部４ａの中央部から両側に突出する軸部４ｂと、軸部４ｂの中心部に設けられ、操作軸（図示せず）を挿入するための孔４ｃを有する。
【００２５】
また、複数個の摺動板部５は、金属板から打ち抜きされて形成され、各摺動板部５は、表面が凸状の曲面で形成された台形状の摺動部５ａと、摺動部５ａの両端部から直角に折り曲げられて形成された一対の屈曲部５ｂを有する。
【００２６】
また、複数個のそれぞれの摺動板部５は、所定の間隔をおいて円形状に配置され、摺動部５ａの表面と屈曲部５ｂの一部が露出した状態で、支持板部４の板状部４ａの一面側に埋設、保持された状態で、支持板部４に取り付けられている。
【００２７】
そして、複数個の摺動板部５が取り付けられた際、隣り合う摺動板部５の屈曲部５ｂ同士は互いに対応すると共に、図６に示すように、摺動部５ａと屈曲部５ｂの内面が支持板部４によって支持（内面に合成樹脂が接触した状態）され、且つ、屈曲部５ｂの先端部が支持板部４に埋設された状態となっている。
【００２８】
このような構成によって、摺動板部５間には、凹部が形成されると共に、摺動部５ａで凸部が形成され、その結果、凹凸状をなしたクリック部Ｋが構成されている。
【００２９】
また、複数個の摺動板部５は、一対の屈曲部５ｂ間に位置する摺動部５ａの外側の一端側には、互いを連結するリング状の連結部６が設けられると共に、一対の屈曲部５ｂ間に位置する摺動部５ａの内側の他端側には、互いを連結するリング状の連結部７が設けられて、複数個の摺動板部５が一体化されている。
【００３０】
そして、複数個の摺動板部５は、連結部６，７によって連結されることによって、その支持強度が増されると共に、この連結部６，７は、支持板部４の板状部４ａに埋設された状態となっており、この埋設によって、摺動板部５の支持強度が一層大きくなっている。
【００３１】
なお、この連結部は、連結部６，或いは７の何れか一方のみで形成しても良い。
このようにして形成されたクリック部材３は、ケース１の収納部１ｄに収納されると共に、軸部４ｂが孔１ａに挿入されて、回転可能に軸支されている。
なお、摺動板部５には、図示しないが、グリス等の潤滑剤が塗布されている。
【００３２】
円板状の絶縁基板８の一面には、ここでは図示しないが、抵抗体と、導電材からなる集電体が形成されており、この絶縁基板８は、収納部１ｄ内に位置した状態で、クリック部材３の一面側で保持され、クリック部材３と共に回転するようになっている。
【００３３】
そして、絶縁基板８が取り付けられた際、抵抗体と集電体のそれぞれに接触片２の接触部２ａが摺動するようになって、端子２ｂから可変される抵抗値を取り出すようになっている。
【００３４】
金属板等の板バネからなる係脱部材９は、略円環状を呈しており、バネ部９ａと、このバネ部９ａに設けられた凸部９ｂを有し、この係脱部材９は、収納部１ｄ内に収納され、凸部９ｂがクリック部Ｋに対して係脱可能となっている。
【００３５】
金属板等からなる蓋体１０は、ケース１の開放部を塞ぐ板状部１０ａと、クリック部材３の軸部４ｂを保持する筒部１０ｂを有し、蓋体１０がケース１の開放部を塞ぐように、ケース１に取り付けられると共に、蓋体１０が取り付けられると、係脱部材９のバネ部９ａを押圧して、凸部９ｂがクリック部Ｋに弾圧されるようになっている。
また、板状部１０ｂには、図示を省略するが、バーリングによって円筒状の一対の突起が設けられ、係脱部材９に設けた孔に突起が挿入され、クリック部材３を蓋体１０にガタ無く保持する。
【００３６】
そして、操作軸（図示せず）を介してクリック部材３が回転すると、前述したように、絶縁基板８が回転され、接触片２から可変された抵抗値が引き出されるようになる。
【００３７】
また、クリック部材３が回転すると、係脱部材９の凸部９ｂがクリック部Ｋに対して係脱を行って、クリック感触を持って回転するようになっている。
そして、このクリック部材３が回転すると、凸部９ｂは、図３の二点鎖線で示す摺動軌跡Ｓ上を摺動しながら移動すると共に、凸部９ｂは、摺動部５ａと、摺動部５ａから折り曲げられた屈曲部５ｂに接触しながら摺動するため、凸部９ｂの移動が滑らかで、スムーズな移動ができる。
また、摺動部５ａは、凸部９ｂの頂点部分が摺動する箇所を指し、屈曲部６ｂは、クリック部材３のクリック位置において、凸部９ｂの頂点部分を挟んだ側部が接する箇所を指す。
【００３８】
即ち、摺動板部５に設けられた一対の屈曲部５ｂは、摺動軌跡Ｓ上に位置した状態で形成されたものとなっている。
【００３９】
なお、上記実施例では、回転型の電気部品で説明したが、スライド型の電気部品に適用しも良い。
また、係脱部材は、板バネからなるもので説明したが、板バネ以外の部材で係脱部材を構成しても良い。
また、クリック部材３を蓋体１０に取り付ける等して非可動とし、係脱部材９を支持部材４に取り付ける等して可動としても良い。
【００４０】
次に、本発明におけるクリック部材の製造方法を図７〜図１３に基づいて説明すると、先ず、第１工程として、フープ材からなる金属板２１が打ち抜き加工と折り曲げ加工されて、図７〜図９に示すように、所定の間隔をおいて円形状に配置され、一対の屈曲部５ｂを有する複数個の摺動板部５と、摺動板部５の内方を連結する連結部７と、摺動板部５の外方を連結する連結部６が形成されると共に、連結部６が桟部２２によって金属板２１に繋がれた状態からなる半製品が形成される。
【００４１】
次に、第２工程として、図１０〜図１３に示すように、摺動部５ａの表面と屈曲部５ｂの一部を露出した状態で、摺動板部５と連結部６，７を埋設するように、合成樹脂の成型加工を行って支持板部４を形成する。
【００４２】
そして、最後の工程で、支持板部４の外周に沿って桟部２２を切断して、金属板２１から切り離すと、図３〜図６に示すようなクリック部材３が形成されるようになっている。
なお、本実施例においては、係脱部材を金属で形成し、且つ、摺動部５ａも金属で形成しているので、合成樹脂で形成するのに比べて、耐熱特性等が優れている。
【００４３】
また、図１４は本発明のクリック感触付電気部品の第２実施例を示し、この第２実施例の構成を説明すると、摺動板部５に設けられた一対の屈曲部５ｂが摺動部５ａに対して傾斜して形成されたものである。
【００４４】
その他の構成は、前記第１実施例と同様であるので、同一部品に同一番号を付し、ここではその説明を省略する。
この第２実施例においては、屈曲部５ｂが傾斜しているため、係脱部材９の移動が一層滑らかで、スムーズな移動ができると共に、形成加工時、成型金型による傾斜した屈曲部５ｂの押さえ（支持が）確実で、容易となり、精度の良いものが得られる。
【００４５】
また、図１５は本発明のクリック感触付電気部品の第３実施例を示し、この第３実施例の構成を説明すると、摺動板部５に設けられた一対の屈曲部５ｂの長さを短くしたものである。
【００４６】
その他の構成は、前記第１実施例と同様であるので、同一部品に同一番号を付し、ここではその説明を省略する。
この第３実施例においては、摺動板部５間の間隔を小さくして、クリック数を多くしたものである。
【００４７】
【発明の効果】
本発明のクリック感触付電気部品は、凹凸状のクリック部を有するクリック部材と、クリック部に対して係脱を行う係脱部材とを備え、クリック部材は、金属板からなる摺動板部と、この摺動板部を保持する支持板部からなり、摺動板部は、係脱部材の先端部が摺動する摺動部と、係脱部材の摺動軌跡上に位置した状態で、摺動部の両端部に設けられた一対の屈曲部とを有し、複数個の摺動板部は、隣り合う摺動板部の屈曲部同士を対向させた状態で、所定の間隔をおいて配置されると共に、複数個の摺動板部が支持板部の一面側で保持されて、クリック部が形成され、係脱部材が摺動部上を摺動すると共に、隣り合う摺動板部の屈曲部間で形成される凹部に嵌入するようにした構成とした。
このような構成によって、係脱部材は、摺動板部の屈曲部に摺動するようになって、従来のようなエッジ部の引っ掛かりが無く、長寿命のものが得られる。
また、係脱部材の屈曲部への移動が滑らかになって、移動のスムーズなものが得られ、また、支持部材によって摺動板部方向への移動が抑えられ、更には、振動が減衰され易くなり、クリック音を抑えることができる。
【００４８】
また、支持板部は、合成樹脂の成型品からなり、複数個の摺動板部が支持板部に埋設されて取り付けられたため、その製造が簡単で、生産性が良く、安価なものが得られる。
【００４９】
また、摺動板部の摺動部と屈曲部の内面が支持板部で支持されたため、摺動部と屈曲部の支持が確実となって、摺動部と屈曲部への係脱部材の摺動動作が良好で、係脱部材の安定した摺動動作を行うことができ、クリック音を抑えることができる。
【００５０】
また、屈曲部の先端部が支持板部に埋設されたため、摺動板部の取付が確実にであると共に、屈曲部の支持が確実となり、係脱部材の安定した摺動動作を行うことができる。
また、クリック音を抑えることができる。
【００５１】
また、屈曲部は、摺動部に対して傾斜して形成されたため、係脱部材の移動がよりスムーズに行うことができると共に、形成加工時、成型金型による傾斜した屈曲部の押さえ（支持が）確実で、容易となり、精度の良いものが得られる。
更には、屈曲部の先端の上面は、樹脂に覆われることとなり、剥がれることなく、より確実に保持できると共に、クリック音も抑えることができる。
【００５２】
また、摺動部の表面が凸状の曲面で形成されたため、摺動部を平坦面にした場合には、クリック部で急激に作動力が変わるが、摺動部が曲面の場合には、徐々に作動力が変化するので、クリック部の操作の違和感がない。
また、係脱部材の側面と当接する摺動板部との角度を緩やかにできるので、クリック音を小さくできる。
【００５３】
また、複数個の摺動板部は、互いに連結部で繋がれた１枚の金属板で形成されたため、摺動板部の取付が簡単で、生産性が良く、安価なものが得られる。
【００５４】
また、連結部は、一対の屈曲部間に位置する摺動部の一端側、或いは両端側に設けられて、複数個の摺動板部が互いに連結されたため、摺動部の支持が確実となり、係脱部材の安定した摺動動作を行うことができる。
【００５５】
また、係脱部材は、凸部を設けた板バネで構成され、凸部がクリック部に係脱するようにしたため、係脱部材が簡単に製造できると共に、特に、係脱部材が板バネで構成されたものにおいて、長寿命のものが得られて、好適である。
【図面の簡単な説明】
【図１】本発明のクリック感触付電気部品の第１実施例に係る要部断面図。
【図２】本発明のクリック感触付電気部品の第１実施例に係り、クリック部と係脱部材の関係を示す要部拡大断面図。
【図３】本発明のクリック感触付電気部品の第１実施例に係るクリック部材の平面図。
【図４】本発明のクリック感触付電気部品の第１実施例に係るクリック部材の下面図。
【図５】図３の５−５線における断面図。
【図６】本発明のクリック感触付電気部品の第１実施例に係るクリック部材の要部拡大断面図。
【図７】本発明のクリック感触付電気部品の第１実施例に係り、クリック部材の製造方法の第１工程を示す平面図。
【図８】本発明のクリック感触付電気部品の第１実施例に係り、クリック部材の製造方法の第１工程を示す下面図。
【図９】本発明のクリック感触付電気部品の第１実施例に係り、クリック部材の製造方法の第１工程を示す要部拡大断面。
【図１０】本発明のクリック感触付電気部品の第１実施例に係り、クリック部材の製造方法の第２工程を示す平面図。
【図１１】本発明のクリック感触付電気部品の第１実施例に係り、クリック部材の製造方法の第２工程を示す下面図。
【図１２】図１０の１２−１２線における断面図。
【図１３】本発明のクリック感触付電気部品の第１実施例に係り、クリック部材の製造方法の第２工程を示す要部拡大断面。
【図１４】本発明のクリック感触付電気部品の第２実施例に係るクリック部材の要部拡大断面図。
【図１５】本発明のクリック感触付電気部品の第３実施例に係るクリック部材の要部拡大断面図。
【図１６】従来のクリック感触付電気部品の要部断面図。
【図１７】従来のクリック感触付電気部品の分解斜視図。
【図１８】従来のクリック感触付電気部品に係るコード板の平面図。
【符号の説明】
１  ケース
１ａ  孔
１ｂ  底壁
１ｃ  側壁
１ｄ  収納部
２  接触片
２ａ  接触部
２ｂ  端子
３  クリック部材
４  支持板部
４ａ  板状部
４ｂ  軸部
４ｃ  孔
５  摺動板部
５ａ  摺動部
５ｂ  屈曲部
Ｋ  クリック部
６  連結部
７  連結部
８  絶縁基板
９  係脱部材
９ａ  バネ部
９ｂ  凸部
１０  蓋体
１０ａ  板状部
１０ｂ  筒部
Ｓ  摺動軌跡
２１  金属板
２２  桟部
【図１】
2004207512.tif 000003
【図２】
2004207512.tif 000004
【図３】
2004207512.tif 000005
【図４】
2004207512.tif 000006
【図５】
2004207512.tif 000007
【図６】
2004207512.tif 000008
【図７】
2004207512.tif 000009
【図８】
2004207512.tif 000010
【図９】
2004207512.tif 000011
【図１０】
2004207512.tif 000012
【図１１】
2004207512.tif 000013
【図１２】
2004207512.tif 000014
【図１３】
2004207512.tif 000015
【図１４】
2004207512.tif 000016
【図１５】
2004207512.tif 000017
【図１６】
2004207512.tif 000018
【図１７】
2004207512.tif 000019
【図１８】
2004207512.tif 000020